(57)【要約】      （修正有）【課題】断熱効果に優れた小型過給機ケーシングの保温断熱用着脱アタッチメントを提供する。【解決手段】小型過給機本体１００のガス出口ケーシングを覆う出口部カバー３００はリング形状としており、小型過給機本体１００のガス出口のケーシング部に簡単に取り付けられるようにリング形状部にはリング切断部が備わり、当該リング切断部はベルト１１とベルト止めにより係止される。また本体部カバー２００に取り付けられるように本体カバー止め用ベルト１３も具備している。また、出口部カバー３００には小型過給機本体１００のガス出口ケーシング部からの放熱を低減するためにリング形状の内側円周部に複数のヒダ１４が備わり、それぞれのヒダ１４の先端部には紐を貫通させるための筒形状の部位構造となっており、当該紐の両端部を締め付けることで小型過給機ガス出口のケーシング部を確りと覆うことが可能となる。【選択図】図５
0003222616.tif 000002
【実用新案登録請求の範囲】
【請求項１】
小型過給機のケーシングに取付ける着脱自在な保温断熱用アタッチメントであって、該アタッチメントは前記小型過給機のケーシングを包み込む馬蹄形断面のループ状を有する本体部カバー部と前記小型過給機ガス出口側のケーシングを覆う出口部カバー部とで構成され、前記本体部カバー部には前記小型過給機に取り付ける着脱自在の係止機構と前記出口部カバー部に取り付けるための着脱自在の係止機構が装着され、前記出口部カバーには前記本体部カバー部に取り付けるための係止機構が装着したことを特徴とする小型過給機のケーシング保温断熱用着脱アタッチメント。
【請求項２】
小型過給機のケーシングに取付ける着脱自在な保温断熱用アタッチメントであって、該アタッチメントは前記小型過給機のケーシングを包み込む馬蹄形断面のループ状を有する本体部カバー部と前記小型過給機ガス出口側のケーシングを覆う出口部カバー部が一体化された構成であり、前記本体部カバー部には前記小型過給機に取り付ける着脱自在の係止機構が装着したことを特徴とする小型過給機のケーシング保温断熱用着脱アタッチメント。
【請求項３】
ガス出口側のケーシングを覆う出口部カバー部は、当該ガス出口側のケーシング部に取り付けるための切断部と開口部により構成され、当該開口部には前記ガス出口側のケーシング部を包み込むための複数のヒダ又は筒が具備されていることを特徴とする請求項１および請求項２に記載の小型過給機のケーシング保温断熱用着脱アタッチメント。
【請求項４】
前記ヒダの先端部又は前記筒の先端部には紐を通すための部位と、前記部位を介して少なくとも１本の紐が取り付けられていることを特徴とする請求項３に記載の小型過給機のケーシング保温断熱用着脱アタッチメント。
【考案の詳細な説明】
【技術分野】
【０００１】本考案は、小型過給機（排気ガスタービン）ケーシングに取付ける保温断熱材に関するものである。
【背景技術】
【０００２】これまでは、小型過給機ケーシングの両サイドに円状の保温布団を取付け、その周辺を工場にてラギング加工し、取付けていた。
【考案の概要】
【考案が解決しようとする課題】
【０００３】これまで工場にて行っていた小型過給機（排気ガスタービン）ケーシングへの保温断熱材取付け工程を大幅に短縮し、３部品に分けられていた布団形状の保温断熱材部品を、一体形状にすることで船内或いは現場でいつでも着脱可能とし、これにより、製品製作時の保温断熱材取付け工程を大きく短縮することのみならず、製造過程の組立工程のどのタイミングでも取付け可能にし、上述の欠点を解決しようとするものである。さらに、小型過給機のガス出口ケーシングでの放熱を今まで以上に低減させるものである。
【課題を解決するための手段】
【０００４】本考案は、小型過給機のケーシングに取付ける着脱自在な保温断熱用アタッチメントであって、該アタッチメントは前記小型過給機のケーシングを包み込む馬蹄形断面のループ状を有する本体部カバー部と前記小型過給機ガス出口側のケーシングを覆う出口部カバー部とで構成され、前記本体部カバー部には前記小型過給機に取り付ける着脱自在の係止機構と前記出口部カバー部に取り付けるための着脱自在の係止機構が装着され、前記出口部カバーには前記本体部カバー部に取り付けるための係止機構が装着したことを特徴とする小型過給機のケーシング保温断熱用着脱アタッチメントである。【０００５】小型過給機のケーシングに取付ける着脱自在な保温断熱用アタッチメントであって、該アタッチメントは前記小型過給機のケーシングを包み込む馬蹄形断面のループ状を有する本体部カバー部と前記小型過給機ガス出口側のケーシングを覆う出口部カバー部が一体化された構成であり、前記本体部カバー部には前記小型過給機に取り付ける着脱自在の係止機構が装着したことを特徴とする小型過給機のケーシング保温断熱用着脱アタッチメント。これらによりこれにより交換場所を選ばずにどこでも、誰にでも交換が可能となる。【０００６】係止機構とは、カバー表面に少なくとも一か所設置されており一端側が係止され、他端側がワンタッチ着脱手段となっているベルトやホック、又は面テープであることを特徴とする小型過給機のケーシング保温断熱用着脱アタッチメントである。これにより従来技術では針金等で締め付けて固定していた所を当該機構により取付け手間を大幅に短縮できる。【０００７】前記ガス出口側のケーシングを覆うカバーは、当該ガス出口側のケーシング部に取り付けるための切断部と開口部により構成され、該開口部には該ケーシング部を覆うための複数のヒダ又は筒が具備されており、前記ヒダの先端部又は前記筒の先端部には紐を通すための部位と、前記部位を介して少なくとも１本の紐が取り付けられていることを特徴とする小型過給機のケーシング保温断熱用着脱アタッチメントである。これにより、前記紐の両端を締め付け、縛ることにより小型過給機ガス出口のケーシング領域が前記ヒダにて包み込まれるため放熱を抑制させ保温性能も改善する。
【考案の効果】
【０００８】これまでは製造工程で工場内にて小型過給機（排気タービンのガス入口ケーシング外周に保温断熱材の取付けを行っていたが、本考案の小型過給機のケーシング保温断熱用着脱アタッチメントでは、「いつでも、どこでも、誰でも」をテーマに取付けの簡素化を実現し、その事により機械から離す事なくメンテナンスも短時間で専門職以外の誰にでも交換が可能となる。
【図面の簡単な説明】
【０００９】
【図１】保温施工する前の小型過給機本体を示す斜視図である。
【図２】小型過給機用のケーシングを覆うための本体部カバーを示す斜視図である。
【図３】本体部カバー部を小型過給機本体に取付けた状況を示す斜視図である。
【図４】小型過給機本体のガス出口ケーシングを覆う出口部カバーを示す平面図である。
【図５】本体部カバーを小型過給機本体に取付けた後に出口部カバーを取付けた状況を示す斜視図である。
【図６】出口部カバーが一体化された本体部カバーを示す斜視図である。
【図７】出口部カバーが一体化された本体部カバーを小型過給機本体に取付けた状況を示す斜視図である。
【考案を実施するための形態】
【００１０】小型過給機製造過程において、組立工程のどの段階においても小型過給機（排気タービン）のガス入口ケーシング外周に保温断熱材の取付けが可能となる事で、組立て終了時でも取付けられ、また、保温断熱材劣化による交換時も前記布団さえ準備すればいつでも交換が可能となりメンテナンスも大幅に短縮できる。
【実施例】
【００１１】以下、本考案による小型過給機のケーシング保温断熱用着脱アタッチメントの一実施形態について図面を用いて説明する。図１は、保温施工する前の小型過給機本体１００を示す斜視図である。図２は、小型過給機本体１００のケーシングを覆うための本体部カバー２００の斜視図であり、図３は本体部カバー２００を小型過給機本体１００に取付けた状況を示す斜視図である。前記本体部カバー２００に備わったベルト１はベルト通し２を介してベルト止め３により前記小型過給機本体１００に固定される構造となっている。【００１２】図４は、小型過給機本体１００のガス出口ケーシングを覆う出口部カバー３００を示す平面図である。前記出口部カバー３００はリング形状としており前記小型過給機本体１００のガス出口のケーシング部に簡単に取り付けられるように前記リング形状部にはリング切断部１０が備わり、当該リング切断部１０はベルト１１とベルト止め１２により係止される。また本体部カバー２００に取り付けられるように本体カバー止め用ベルト１３も具備している。【００１３】また、前記出口部カバー３００には前記小型過給機本体１００のガス出口ケーシング部からの放熱を低減するためにリング形状の内側円周部に複数のヒダ１４が備わり、それぞれのヒダ１４の先端部には紐１５を貫通させるための筒形状の部位構造となっており、当該紐１５の両端部を締め付けることで前記小型過給機ガス出口のケーシング部を確りと覆うことが可能となる。【００１４】図５は、本体部カバー２００を小型過給機本体１００に取り付けた後に図４に示す出口部カバー３００を取り付けた状態を示す斜視図である。前記出口部カバー３００と前記本体部カバー部２００の固定方法に関しては、前記出口部カバー３００に備わる本体部カバー止めベルト１３と図示していないが当該本体部カバー２００に備わっているベルト通しとベルト止めにより固定されている。【００１５】図６は、出口部カバーが一体化された本体部カバー４００を示す斜視図である。当該本体部カバー部４００の構造は、図２に示す小型過給機本体のケーシングを覆うための本体部カバー２００と図４に示すガス本体部カバー止め用ベルト１３をなくした出口部カバー３００とが一体型となっている。図７は、出口部カバーが一体化された本体部カバー４００を小型過給機本体１００に取付けた状況を示す斜視図を示す。紐１５の両端部を確りと縛ることでガス出口ケーシングを覆うことが可能となる。【００１６】なお、本発明の技術範囲は上述した実施の形態に限定されるものではなく、例えばベルト通しを用いなく方法や、出口カバー部に備わる複数のヒダの代わりに筒形状としてもよく、また出口カバー部が一体化させた本体部カバーに於いては出口部カバーと本体カバーを縫合せずに一枚の保温帯から製作してもよい。
【符号の説明】
【００１７】  １      ベルト
２      ベルト通し
３      ベルト止め
１０    リング切断部
１１    ベルト
１２    ベルト止め
１３    本体部カバー止め用ベルト
１４    ヒダ
１５    紐
１００  小型過給機本体
２００  本体部カバー
３００  出口部カバー
４００  出口部カバーが一体化された本体部カバー
【図１】
0003222616.tif 000003
【図２】
0003222616.tif 000004
【図３】
0003222616.tif 000005
【図４】
0003222616.tif 000006
【図５】
0003222616.tif 000007
【図６】
0003222616.tif 000008
【図７】
0003222616.tif 000009